(57)【要約】【課題】自動車レースゲーム専用コントローラーのペダルユニットを、テーブルを利用して簡単に固定できるコンパクトなスタンドを提供する。【解決手段】ペダルユニットの前方部を支持する台と前記台に対して前記ペダルユニットを固定するためのペダルストッパーから構成されたスタンド本体と、テーブルの脚に引っ掛かることにより床に対して前記スタンド本体を固定するスタンドストッパーと、を具備し、前記スタンド本体と前記スタンドストッパーにそれぞれ画面側に大きく突き出した敷板がついており、前記スタンドストッパーを前記スタンド本体に差し込んで使用することが特徴である。【選択図】図１
0003121571.tif 000002
【実用新案登録請求の範囲】
【請求項１】
自動車レースゲーム専用コントローラーのペダルユニットの前方部を支持する台と前記台に対して前記ペダルユニットを固定するためのペダルストッパーから構成されたスタンド本体と、テーブルの脚に引っ掛かることにより床に対して前記スタンド本体を固定するスタンドストッパーと、を具備することを特徴とするレースゲーム専用コントローラー対応ペダルスタンド。
【請求項２】
請求項１に記載のペダルスタンドにおいて、スタンド本体の安定性を良くするためと、補強用のおもり等を積載できるように、スタンド本体に敷板が付いており、前記敷板が画面側に大きく突き出ているレースゲーム専用コントローラー対応ペダルスタンド。
【請求項３】
請求項１または２に記載のペダルスタンドにおいて、スタンドストッパーの一部を、テーブルの脚の側面に当てると同時に、前記テーブルの脚と床の間に挟むために、前記スタンドストッパーに敷板が付いており、前記敷板が画面側に大きく突き出ているレースゲーム専用コントローラー対応ペダルスタンド。
【請求項４】
請求項１または２または３に記載のペダルスタンドにおいて、スタンドストッパーをスタンド本体に左右から差し込む構造であって、利用するテーブルのサイズに応じて、前記スタンドストッパーを差し込む度合いを変えることができるレースゲーム専用コントローラー対応ペダルスタンド。
【考案の詳細な説明】
【技術分野】
【０００１】
この考案は、テレビゲーム用コントローラーの補助器具に関するもので、より詳細には自動車レースゲーム専用コントローラーのペダルユニットを固定するスタンドに関するものである。
【背景技術】
【０００２】
家庭用のテレビゲームの自動車レースゲームソフトに対応させた専用コントローラーで、一般に市販されているものは、主に、自動車のステアリングに相当するステアリングユニットと、ブレーキペダルとアクセルペダルに相当するペダルユニットから構成されており、操作手は、この種のコントローラーを用いて自動車を運転するときに近い感覚でゲームを楽しむことができるのは周知である。
【０００３】
また、登録実用新案公報「実用新案登録第３０８４６５２」に記載されているように、自動車レースゲーム専用コントローラーを個々の操作手に最適な状態で固定する専用スタンドも考案されている。この専用スタンドは、主にプレートとフレームで構成されていおり、基本的に、操作手の体重を利用して、前記専用コントローラーを固定させる器具である。
【０００４】
通販などで市販されている専用スタンドもあるが、これらは大掛かりなものしか見受けられず、自動車のシートと酷似した座席と頑丈なフレームで構成されていることが特徴である。
【考案の開示】
【考案が解決しようとする課題】
【０００５】
レースゲーム専用コントローラーを用いてレースゲームをする場合、ステアリングユニットについては、通常、テーブルの天板等に挟んで使用する構造になっており、そうすることで使用時もしっかり固定されるのであるが、ペダルユニットについては、底の部分に滑り止めがついていることはあるとしても、単体で床に置くだけでは、使用時に足元から離れてしまったり、左右にずれてしまったりする上、ペダル自体が踏みやすい角度になっているとは限らない。つまり、テーブルを利用して自動車レースゲーム専用コントローラーを使用する時には、ペダルユニットに関して、踏みづらく、固定しにくいので、それに対応させるスタンド、留め具等が必要である。
【０００６】
「実用新案登録第３０８４６５２」に記載されている専用スタンドにおいては、個々の操作手がステアリングユニットとペダルユニットを最適位置で固定できるように構成されているが、専用コントローラー使用時に、操作手による振動等に耐えるには、プレートやフレームにかなりの強度が求められるので、軽量でコンパクトな玩具にするには難がある。
【０００７】
市販されている座席付の専用スタンドについては、高剛性で、自動車のシートの構造に近いが、大掛かりな構造であるが故、高額になってしまっていること、設置する場所の確保が必要なこと、未使用時の収納に困ること、などから玩具としての手軽さが無く、普及させることが困難である。
【０００８】
本考案は以上の問題点を解決することを課題とし、より特定すれば、テーブルの利点を生かすことにより、自動車レースゲーム専用コントローラーのペダルユニットを、床に対して踏み易い角度で固定する軽量でコンパクトなスタンドを提供することを目的とする。
【課題を解決するための手段】
【０００９】
本考案は、第一の特徴として、ペダルユニットの前方部を支持する台と前記台に対して前記ペダルユニットを固定するためのペダルストッパーから構成されたスタンド本体と、テーブルの脚に引っ掛かることにより床に対して前記スタンド本体を固定するスタンドストッパーと、を具備する。
【００１０】
第二の特徴として、スタンド本体の安定性を良くするためと、補強用のおもり等を積載できるように、スタンド本体に敷板が付いており、前記敷板が画面側に大きく突き出ている。
【００１１】
第三の特徴として、スタンドストッパーの一部を、テーブルの脚の側面に当てると同時に、前記テーブルの脚と床の間に挟むために、前記スタンドストッパーに敷板が付いており、前記敷板が画面側に大きく突き出ている。
【００１２】
第四の特徴として、スタンドストッパーをスタンド本体に左右から差し込む構造となっており、利用するテーブルのサイズに応じて、前記スタンドストッパーを差し込む度合いを変えることができる。
【００１３】
以上の構成により、ペダルユニットを床に対して固定するが、基本的にはテーブルの重さによる床の摩擦力を利用するスタンドであるので、素材としては、金属、プラスチック、木材等から軽量な素材を選択でき、テーブルが軽い場合や、操作手の操作が激しく振動が大きく生じる場合には、スタンド本体の敷板の上におもりとなるものを載せることで補強をして、ペダルユニットを固定する。
【考案の効果】
【００１４】
自動車レースゲーム専用コントローラーを、テーブルを利用して使用する際、ペダルユニットは、床に対して一定の角度を保持して固定された状態になるので、操作手は前記ペダルユニットを快適に使うことができる。
【００１５】
また、スタンド全体が軽量で、組立、取り付け、取り外しも簡単であり、コンパクトにまとめておくこともできるので、未使用時の収納にも困らない上、生産コストも安く済ませることができる。
【考案を実施するための最良の形態】
【００１６】
本考案の一実施形態は、図２、図３に示されるように、スタンド本体１、テーブルストッパー２、テーブルストッパー３から構成されているが、図１に示す環境で使用することを想定しており、天板のサイズが６０cm×６０cm、７５cm×７５cm、６０cm×９０cm程度のテーブルまたは天板の面積が前記テーブルと同程度のテーブルで、複数の脚を具備し、脚と脚の間が６０cmから９０ｃｍ程度であるものを本実施形態と併せて利用することを前提としている。
【００１７】
スタンド本体１は、図２、図３で示されているように連結台１１にペダルストッパー１２と敷板１３が付けられており、スタンド本体１にペダルユニット４の前方部を載せた時には、図１からわかるように、操作手がペダル４１及びペダル４２を踏んでいない状況において、ペダル４１及びペダル４２が床に対しておおよそ垂直になるよう製作した。これは、本実施形態を製作する過程において何度も専用コントローラーを用いてレースゲームソフトを試行した結果、図１のようにステアリングユニット５をテーブル６の天板に取り付け、操作手が座椅子７に腰掛けてゲームをする使用環境においては、ペダル４１及びペダル４２を踏み易くするために、床に対するペダル４１、ペダル４２の角度を上記のように設定することが妥当であると判断したためであるが、連結台１１の高さの調節を可能にすることによりペダルユニット４の床に対する傾斜角の設定を変えることができるペダルスタンドを製作してもよい。
【００１８】
連結台１１は、その上面にペダルユニット４の前方部を載せることでペダルユニット４を支持する役割を果たし、左右の外側からスタンドストッパー２とスタンドストッパー３を差し込むことが出来るようになっている。差込式にした理由は、簡単に取り付け取り外しが出来るようにするためと、使用するテーブル６の脚と脚の間隔の違いに対応させるためと、未使用時にコンパクトな収納を可能にするためである。
【００１９】
ペダルストッパー１２は、コの字型の壁である。一般に市販されているレースゲーム専用コントローラーのペダルユニットを複数比較した結果として、連結台１１の上にコの字型の壁を付ければ、種類に関わらず簡単に、ペダルユニット４の前方部を台に対して固定する手段と成り得ると考えたからであるが、Ｌ字型の壁を２つ用いてペダルユニット４前方下部の左右の角を固定してもいいし、一つのペダルストッパーで複数の機種のペダルユニットに対応させるために左右に伸縮するコの字型あるいはＬ字型のペダルストッパーなどを製作してもよい。
【００２０】
敷板１３については、画面８側に大きく突き出ている。ペダルユニット４を使用した時、スタンド本体１が画面８側に傾いたり倒れたりすることを防ぐためと、テーブル６が軽量である場合や操作手のペダル操作の度合いにより振動が大きく生じる場合に、おもりとなるものを載せて、スタンド全体を補強できるようにするためである。
【００２１】
スタンドストッパー２及びスタンドストッパー３は、図１に示されているように、それぞれスタンド本体１に差し込んでから、テーブル６の脚と床の間に挟むことと、テーブル６の脚の側面に当てることでスタンド本体１を床に対して固定する留め具であり、図２、図３で示されているように、前者は留め板２１に敷板２２を、後者は留め板３１に敷板３２を接合したものである。
【００２２】
留め板２１及び留め板３１は、長い平板であり、操作手がペダル４１あるいはペダル４２を踏んだ時、留め板２１及び留め板３１がテーブル６の画面８側に位置する２本の脚に引っ掛かることで、スタンド本体１が画面８側にずれることを防ぐ役割を果たす。
【００２３】
敷板２２と敷板３２は、画面８側に大きく突き出ていることにより、テーブル６の画面８側に位置する２本の脚と床の間に挟むことができ、留め板２１及び留め板３１との相乗効果により、ペダル４１あるいはペダル４２を踏んだり離したりした時にスタンド全体の前後のぐらつきを軽減することや、連続的なペダル操作によりスタンド全体が左右にずれるのを防ぐこと、が役割である。
【００２４】
本実施形態は以上のような構造で、これを使用する時は、スタンド本体１にテーブルストッパー２及びテーブルストッパー３を差し込み、図１のように、敷板２２及び敷板３２の上に、テーブル６の画面８側に位置する２本の脚を載せて、留め板２１及び留め板３１に前記２本の脚の側面を当てる。そして、ペダルユニット４の前方部を連結台１１上のペダルストッパー１２の内側に載せる。そして、操作手がペダルユニット４を踏むことができる位置に座椅子７を置き、テーブル６の天板を、ステアリングユニット５を使い易い位置にずらしてゲームをする。
【００２５】
テーブル６が軽いことや激しいペダル操作が原因で、ペダル４１またはペダル４２を踏み込んだ際、スタンド本体１やテーブル６にぐらつきやずれが生じる場合には、敷板１３におもりとなるものを載せることで、それらの問題を解消させる。
【図面の簡単な説明】
【００２６】
【図１】実施形態と使用環境を含めた斜視図である。
【図２】実施形態の斜視図である。
【図３】実施形態のパーツごとの斜視図である。
【符号の説明】
【００２７】
１    スタンド本体
１１  連結台
１２  ペダルストッパー
１３  敷板
２    スタンドストッパー
２１  留め板
２２  敷板
３    スタンドストッパー
３１  留め板
３２  敷板
４    ペダルユニット
４１  ペダル
４２  ペダル
５    ステアリングユニット
６    テーブル
７    座椅子
８    画面
【図１】
0003121571.tif 000003
【図２】
0003121571.tif 000004
【図３】
0003121571.tif 000005